【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
海中ポンプ圧送装置であって、
各々が入口および出口を有する１つ以上の海中ポンプと、
各々が前記１つ以上のポンプのうちの少なくとも１つを作動させ、液圧流体を前記入口から前記出口に運ぶように構成されている１つ以上のモータと、
各々が前記１つ以上のポンプのうちの少なくとも１つと流体連通している１つ以上の液圧スタブと
を備え、
前記海中ポンプ圧送装置は、前記１つ以上の液圧スタブを介して、噴出防止装置の液圧作動式デバイスと直接流体連通するように構成されている、海中ポンプ圧送装置。
【請求項２】
海中ポンプ圧送装置であって、
各々が入口および出口を有する１つ以上の海中ポンプと、
各々が前記１つ以上のポンプのうちの少なくとも１つを作動させ、液圧流体を前記入口から前記出口に運ぶように構成されている１つ以上のモータと、
海水を脱塩し、前記液圧流体の少なくとも一部を生産するように構成されている脱塩システムと
を備え、
前記海中ポンプ圧送装置は、噴出防止装置の液圧作動式デバイスと流体連通するように構成されている、海中ポンプ圧送装置。
【請求項３】
海中ポンプ圧送装置であって、
各々が入口および出口を有する１つ以上の海中ポンプと、
各々が前記１つ以上のポンプのうちの少なくとも１つを作動させ、液圧流体を前記入口から前記出口に運ぶように構成されている１つ以上のモータと、
各々が前記１つ以上のポンプのうちの少なくとも１つの前記出口と流体連通し、液圧流体を前記出口から海中環境、リザーバ、および前記ポンプの前記入口のうちの少なくとも１つに選択的に経路指定するように構成されている１つ以上の弁と
を備え、
前記海中ポンプ圧送装置は、噴出防止装置の液圧作動式デバイスと流体連通するように構成されている、海中ポンプ圧送装置。
【請求項４】
海中ポンプ圧送装置であって、
各々が入口および出口を有する１つ以上の海中ポンプと、
各々が前記１つ以上のポンプのうちの少なくとも１つを作動させ、液圧流体を前記入口から前記出口に運ぶように構成されている１つ以上のモータと、
前記１つ以上のポンプのうちの少なくとも１つと流体連通している流体リザーバであって、前記液圧流体の少なくとも一部を貯蔵するように構成されている、流体リザーバと
を備え、
前記海中ポンプ圧送装置は、噴出防止装置の液圧作動式デバイスと流体連通するように構成されている、海中ポンプ圧送装置。
【請求項５】
海中ポンプ圧送装置上に配置されている複数の海中ポンプを作動させる方法であって、前記方法は、
補助ケーブルからの電力によって少なくとも第１のポンプを作動させることと、
前記海中ポンプ圧送装置上に配置されているバッテリからの電力によって少なくとも第２のポンプを作動させることと
を含む、方法。
【請求項６】
海中ポンプ圧送装置上に配置されている複数の海中ポンプを作動させる方法であって、前記方法は、
第１の補助ケーブルによって提供される第１のレベルの電力を用いて、少なくとも第１のポンプを作動させることと、
第２の補助ケーブルによって提供される第２のレベルの電力を用いて、少なくとも第２のポンプを作動させることと
を含み、前記第１のレベルの電力は、前記第２のレベルの電力と等しいかそれより大きい、方法。
【請求項７】
海中ポンプ圧送装置上に配置されている１つ以上の海中ポンプを作動させる方法であって、前記方法は、
前記海中ポンプ圧送装置の弁を作動させ、前記１つ以上のポンプのうちの少なくとも１つの出口からの液圧流体を方向転換させることと、
前記方向転換された液圧流体を、海中環境、リザーバ、および前記１つ以上のポンプのうちの前記少なくとも１つの入口のうちの少なくとも１つに経路指定することと
を含む、方法。
【請求項８】
海中ポンプ圧送装置上に配置されている１つ以上の海中ポンプを作動させる方法であって、前記方法は、前記１つ以上のポンプのうちの少なくとも１つを作動させるように構成されている少なくとも１つのモータを選択的にアクティブ化および非アクティブ化することを含む、方法。
【請求項９】
液圧作動式デバイスを作動させるための液圧流体の海中生産のための方法であって、前記方法は、海水を海中膜を通してポンプ圧送し、前記液圧流体を生産することを含む、方法。
【請求項１０】
液圧作動式デバイスを作動させる方法であって、
海中ポンプ圧送装置上に配置されている１つ以上のポンプを使用して、液圧流体を前記液圧作動式デバイスに提供することを含み、
前記１つ以上のポンプは、前記液圧作動式デバイスと直接流体連通している、方法。
【請求項１１】
海中液圧システム内の圧力を制御する方法であって、前記方法は、
前記海中液圧システムからの液圧流体漏出の量を決定することと、
１つ以上の海中ポンプを用いて、前記液圧流体漏出の量に実質的に一致する液圧流体の量を前記海中液圧システムに提供することと
を含む、方法。
【請求項１２】
複数のモータ作動式海中ポンプを制御する方法であって、前記方法は、
所定の期間にわたって、第１のモータのランタイムを記録することと、
前記記録されたランタイムが所定の閾値を超える場合、前記第１のモータを非アクティブ化し、第２のモータをアクティブ化することと
を含む、方法。
【請求項１３】
複数のモータ作動式海中ポンプを制御する方法であって、
第１の所定の期間にわたって、第１のモータのモータアクティブ化の数を記録することと、
前記第１の所定の期間にわたる前記第１のモータの前記モータアクティブ化の数が、所定の閾値を超える場合、第２の所定の期間中、前記第１のモータの代わりに、第２のモータをアクティブ化することと
を含む、方法。
【請求項１４】
複数のモータ作動式海中ポンプを制御する方法であって、
第１の所定の期間にわたって、モータのモータアクティブ化の数を記録することと、
前記モータがアクティブ化されている場合において、前記第１の所定の期間にわたる前記モータの前記モータアクティブ化の数が、所定の閾値を超える場合、第２の所定の期間に対して、前記モータを非アクティブ化しないことと
を含む、方法。
【手続補正２】
【補正対象書類名】明細書
【補正対象項目名】００４６
【補正方法】変更
【補正の内容】
【００４６】
前述の実施形態およびその他のものに関連付けられたいくつかの詳細が、以下に説明される。
本発明は、例えば、以下を提供する。
（項目１）
海中ポンプ圧送装置であって、
各々が入口および出口を有する１つ以上の海中ポンプと、
各々が前記１つ以上のポンプのうちの少なくとも１つを作動させ、液圧流体を前記入口から前記出口に運ぶように構成されている１つ以上のモータと、
各々が前記１つ以上のポンプのうちの少なくとも１つと流体連通している１つ以上の液圧スタブと
を備え、
前記海中ポンプ圧送装置は、前記１つ以上の液圧スタブを介して、噴出防止装置の液圧作動式デバイスと直接流体連通するように構成されている、海中ポンプ圧送装置。
（項目２）
各々が前記１つ以上のポンプのうちの少なくとも１つの出口と流体連通し、液圧流体を前記出口から海中環境、リザーバ、および前記ポンプの入口のうちの少なくとも１つに選択的に経路指定するように構成されている１つ以上の弁を備えている、項目１に記載の海中ポンプ圧送装置。
（項目３）
海水を脱塩し、前記液圧流体の少なくとも一部を生産するように構成されている脱塩システムを備えている、項目１または２に記載の海中ポンプ圧送装置。
（項目４）
海中ポンプ圧送装置であって、
各々が入口および出口を有する１つ以上の海中ポンプと、
各々が前記１つ以上のポンプのうちの少なくとも１つを作動させ、液圧流体を前記入口から前記出口に運ぶように構成されている１つ以上のモータと、
海水を脱塩し、前記液圧流体の少なくとも一部を生産するように構成されている脱塩システムと
を備え、
前記海中ポンプ圧送装置は、噴出防止装置の液圧作動式デバイスと流体連通するように構成されている、海中ポンプ圧送装置。
（項目５）
各々が前記１つ以上のポンプのうちの少なくとも１つと流体連通している１つ以上の液圧スタブを備え、
前記海中ポンプ圧送装置は、前記１つ以上の液圧スタブを介して、前記噴出防止装置の液圧作動式デバイスと直接流体連通するように構成されている、項目４に記載の海中ポンプ圧送装置。
（項目６）
各々が前記１つ以上のポンプのうちの少なくとも１つの出口と流体連通し、液圧流体を前記出口から海中環境、リザーバ、および前記ポンプの入口のうちの少なくとも１つに選択的に経路指定するように構成されている１つ以上の弁を備えている、項目４または５に記載の海中ポンプ圧送装置。
（項目７）
前記脱塩システムは、
逆浸透膜と、
海水を前記膜に通し、前記液圧流体を生産するように構成されているポンプと、
を備えている、項目３−６のいずれかに記載の海中ポンプ圧送装置。
（項目８）
海中ポンプ圧送装置であって、
各々が入口および出口を有する１つ以上の海中ポンプと、
各々が前記１つ以上のポンプのうちの少なくとも１つを作動させ、液圧流体を前記入口から前記出口に運ぶように構成されている１つ以上のモータと、
各々が前記１つ以上のポンプのうちの少なくとも１つの出口と流体連通し、液圧流体を前記出口から海中環境、リザーバ、および前記ポンプの入口のうちの少なくとも１つに選択的に経路指定するように構成されている１つ以上の弁と
を備え、
前記海中ポンプ圧送装置は、噴出防止装置の液圧作動式デバイスと流体連通するように構成されている、海中ポンプ圧送装置。
（項目９）
海水を脱塩し、前記液圧流体の少なくとも一部を生産するように構成されている脱塩システムを備えている、項目８に記載の海中ポンプ圧送装置。
（項目１０）
前記脱塩システムは、
逆浸透膜と、
海水を前記膜に通し、前記液圧流体を生産するように構成されているポンプと、
を備えている、項目９に記載の海中ポンプ圧送装置。
（項目１１）
各々が前記１つ以上のポンプのうちの少なくとも１つと流体連通している１つ以上の液圧スタブを備え、
前記海中ポンプ圧送装置は、前記１つ以上の液圧スタブを介して、前記噴出防止装置の液圧作動式デバイスと直接流体連通するように構成されている、項目８−１０のいずれかに記載の海中ポンプ圧送装置。
（項目１２）
前記１つ以上のポンプのうちの少なくとも１つと流体連通している流体リザーバを備え、前記流体リザーバは、前記液圧流体の少なくとも一部を貯蔵するように構成されている、項目１−１１のいずれかに記載の海中ポンプ圧送装置。
（項目１３）
海中ポンプ圧送装置であって、
各々が入口および出口を有する１つ以上の海中ポンプと、
各々が前記１つ以上のポンプのうちの少なくとも１つを作動させ、液圧流体を前記入口から前記出口に運ぶように構成されている１つ以上のモータと、
前記１つ以上のポンプのうちの少なくとも１つと流体連通している流体リザーバであって、前記液圧流体の少なくとも一部を貯蔵するように構成されている、流体リザーバと
を備え、
前記海中ポンプ圧送装置は、噴出防止装置の液圧作動式デバイスと流体連通するように構成されている、海中ポンプ圧送装置。
（項目１４）
海水を脱塩し、前記液圧流体の少なくとも一部を生産するように構成されている脱塩システムを備えている、項目１３に記載の海中ポンプ圧送装置。
（項目１５）
前記脱塩システムは、
逆浸透膜と、
海水を前記膜に通し、前記液圧流体を生産するように構成されているポンプと
を備えている、項目１４に記載の海中ポンプ圧送装置。
（項目１６）
各々が前記１つ以上のポンプのうちの少なくとも１つと流体連通している１つ以上の液圧スタブを備え、
前記海中ポンプ圧送装置は、前記１つ以上の液圧スタブを介して、前記噴出防止装置の液圧作動式デバイスと直接流体連通するように構成されている、項目１３−１５のいずれかに記載の海中ポンプ圧送装置。
（項目１７）
各々が前記１つ以上のポンプのうちの少なくとも１つの出口と流体連通し、液圧流体を前記出口から海中環境、リザーバ、および前記ポンプの入口のうちの少なくとも１つに選択的に経路指定するように構成されている１つ以上の弁を備えている、項目１３−１６のいずれかに記載の海中ポンプ圧送装置。
（項目１８）
前記流体リザーバは、アキュムレータを備えている、項目１２−１７のいずれかに記載の海中ポンプ圧送装置。
（項目１９）
前記流体リザーバは、前記流体リザーバの内部容積を変動させるように構成されているピストンを備え、前記ピストンは、海水にさらされている表面を有する、項目１２−１８のいずれかに記載の海中ポンプ圧送装置。
（項目２０）
前記流体リザーバは、可撓性ブラダを備えている、項目１２−１９のいずれかに記載の海中ポンプ圧送装置。
（項目２１）
前記流体リザーバは、周囲圧リザーバを備えている、項目１２−２０のいずれかに記載の海中ポンプ圧送装置。
（項目２２）
前記海中ポンプ圧送装置の少なくとも一部は、遠隔操作式水中車両（ＲＯＶ）によって回収可能であるように構成されている、項目１−２１のいずれかに記載の海中ポンプ圧送装置。
（項目２３）
前記海中ポンプ圧送装置の電気的ＲＯＶ制御または液圧ＲＯＶ制御のうちの少なくとも１つを可能にするように構成されている１つ以上のＲＯＶスタブを備えている、項目１−２２のいずれかに記載の海中ポンプ圧送装置。
（項目２４）
前記１つ以上のポンプのうちの少なくとも１つは、ピストンポンプ、ダイヤフラムポンプ、遠心ポンプ、ベーンポンプ、ギヤポンプ、内接ギヤポンプ、またはスクリューポンプを備えている、項目１−２３のいずれかに記載の海中ポンプ圧送装置。
（項目２５）
前記１つ以上のポンプのうちの少なくとも１つは、可変容積式ポンプを備えている、項目１−２４のいずれかに記載の海中ポンプ圧送装置。
（項目２６）
前記１つ以上のポンプのうちの少なくとも１つは、固定容積式ポンプを備えている、項目１−２５のいずれかに記載の海中ポンプ圧送装置。
（項目２７）
前記１つ以上のポンプのうちの少なくとも１つは、双方向ポンプを備えている、項目１−２６のいずれかに記載の海中ポンプ圧送装置。
（項目２８）
前記１つ以上のポンプのうちの少なくとも１つの出口は、少なくとも１つの他のポンプの入口と流体連通している、項目１−２７のいずれかに記載の海中ポンプ圧送装置。
（項目２９）
前記１つ以上のポンプのうちの少なくとも１つの出口は、少なくとも１つの他のポンプの出口と流体連通している、項目１−２８のいずれかに記載の海中ポンプ圧送装置。
（項目３０）
前記１つ以上のポンプは、２つのポンプを備えている、項目１−２９のいずれかに記載の海中ポンプ圧送装置。
（項目３１）
密閉された流体充填ポンプチャンバを備え、前記１つ以上のポンプのうちの少なくとも１つは、前記ポンプチャンバ内に配置されている、項目１−３０のいずれかに記載の海中ポンプ圧送装置。
（項目３２）
前記液圧流体は、海水、脱塩された水、処理された水、および油系流体のうちの少なくとも１つから成る、項目１−３１のいずれかに記載の海中ポンプ圧送装置。
（項目３３）
ドーパントを前記液圧流体の少なくとも一部に供給するように構成されている処理システムを備えている、項目１−３２のいずれかに記載の海中ポンプ圧送装置。
（項目３４）
前記処理システムは、前記ドーパントを前記液圧流体に供給するように構成されているドーパントポンプを備えている、項目３３に記載の海中ポンプ圧送装置。
（項目３５）
前記処理システムは、前記ドーパントの少なくとも一部を貯蔵するように構成されているドーパントリザーバを備えている、項目３３または３４に記載の海中ポンプ圧送装置。
（項目３６）
前記液圧流体の少なくとも一部は、海上に貯蔵されている、項目１−３５のいずれかに記載の海中ポンプ圧送装置。
（項目３７）
前記１つ以上のポンプのうちの少なくとも１つと流体連通している液圧コネクタを備え、前記液圧コネクタは、前記液圧流体の少なくとも一部を前記海中ポンプ圧送装置に供給するための剛体導管およびホットラインのうちの少なくとも１つに結合されるように構成されている、項目１−３６のいずれかに記載の海中ポンプ圧送装置。
（項目３８）
前記１つ以上のポンプのうちの少なくとも１つの出口と流体連通している流体レールを備えている、項目１−３７のいずれかに記載の海中ポンプ圧送装置。
（項目３９）
１つ以上の圧力で液圧流体を前記海中ポンプ圧送装置から前記液圧作動式デバイスに送達するように構成されている１つ以上のレギュレータを備えている、項目１−３８のいずれかに記載の海中ポンプ圧送装置。
（項目４０）
前記液圧流体を濾過するように構成されている濾過システムを備えている、項目１−３９のいずれかに記載の海中ポンプ圧送装置。
（項目４１）
前記濾過システムは、フィルタを備えている、項目４０に記載の海中ポンプ圧送装置。
（項目４２）
前記濾過システムは、ポンプを備えている、項目４０または４１に記載の海中ポンプ圧送装置。
（項目４３）
前記濾過システムは、流体を前記濾過システムの少なくとも一部の周囲に選択的に方向転換させるように構成されているバイパス弁を備えている、項目４０−４２のいずれかに記載の海中ポンプ圧送装置。
（項目４４）
前記液圧流体の少なくとも一部をＵＶ光にさらすように構成されている紫外線（ＵＶ）光を備えている、項目１−４３のいずれかに記載の海中ポンプ圧送装置。
（項目４５）
前記１つ以上のモータのうちの少なくとも１つは、同期交流（ＡＣ）モータ、非同期ＡＣモータ、ブラシ直流（ＤＣ）モータ、ブラシレスＤＣモータ、または永久磁石ＤＣモータを備えている、項目１−４４のいずれかに記載の海中ポンプ圧送装置。
（項目４６）
前記１つ以上のモータのうちの少なくとも１つは、前記１つ以上のポンプのうちの少なくとも２つを作動させるように構成されている、項目１−４５のいずれかに記載の海中ポンプ圧送装置。
（項目４７）
前記１つ以上のモータのうちの少なくとも１つは、ギヤボックスを介して、前記１つ以上のポンプのうちの少なくとも１つに結合されている、項目１−４６のいずれかに記載の海中ポンプ圧送装置。
（項目４８）
前記１つ以上のモータのうちの少なくとも１つは、前記１つ以上のポンプのうちの少なくとも１つに直接結合されており、それによって、前記モータのシャフトシールも前記ポンプのシャフトシールも、前記海中環境にさらされない、項目１−４７のいずれかに記載の海中ポンプ圧送装置。
（項目４９）
制御回路を備え、前記制御回路は、１つ以上のモータコントローラを備え、前記モータコントローラの各々は、前記１つ以上のモータのうちの少なくとも１つと電気通信し、前記モータのスピードを選択的に調節するように構成されている、項目１−４８のいずれかに記載の海中ポンプ圧送装置。
（項目５０）
前記１つ以上のモータコントローラのうちの少なくとも１つは、前記モータを選択的にアクティブ化および非アクティブ化することによって、モータのスピードを調節するように構成されている、項目４９に記載の海中ポンプ圧送装置。
（項目５１）
前記１つ以上のモータコントローラのうちの少なくとも１つは、モータのスピードを、少なくとも３つの所定のスピードから選択されるスピードに選択的に調節するように構成されている、項目４９または５０に記載の海中ポンプ圧送装置。
（項目５２）
制御回路を備え、前記制御回路は、１つ以上の弁コントローラを備え、
各弁コントローラは、前記１つ以上の弁のうちの少なくとも１つと電気通信し、前記弁の位置を開放位置と閉鎖位置との間で選択的に変動させることによって、前記ポンプの出力を調節するように構成されている、項目２、６、８、または１７に従属する、項目１−５１のいずれかに記載の海中ポンプ圧送装置。
（項目５３）
前記海中ポンプ圧送装置に結合され、圧力、流量、温度、伝導性、ｐＨ、位置、速度、加速、電流、および電圧のうちの少なくとも１つを示すデータを捕捉するように構成されている１つ以上のセンサを備えている、項目１−５２に記載の海中ポンプ圧送装置。
（項目５４）
前記１つ以上のセンサによって捕捉されたデータを示す信号を通信するための回路を備えている、項目５３に記載の海中ポンプ圧送装置。
（項目５５）
前記回路に結合されているメモリを備えている、項目５４に記載の海中ポンプ圧送装置。
（項目５６）
前記１つ以上のセンサによって捕捉されたデータに少なくとも部分的に基づいて、前記１つ以上のモータのうちの少なくとも１つおよび前記１つ以上のポンプのうちの少なくとも１つのうちの少なくとも１つの作動を制御するように構成されているプロセッサを備えている、項目５３に記載の海中ポンプ圧送装置。
（項目５７）
前記プロセッサは、
前記１つ以上のセンサによって捕捉されたデータに少なくとも部分的に基づいて、１つ以上の構成要素に関連付けられた異常動作を検出することであって、前記１つ以上の構成要素は、前記１つ以上のポンプのうちの少なくとも１つ、前記１つ以上のモータのうちの少なくとも１つ、液圧作動式デバイス、および噴出防止装置のうちの少なくとも１つを含む、ことと、
前記１つ以上の構成要素の診断分析を行うことと、
前記検出された異常動作および前記診断分析の結果のうちの少なくとも１つに少なくとも部分的に基づいて、前記１つ以上の構成要素を制御することと、
を行うように構成されている、項目５６に記載の海中ポンプ圧送装置。
（項目５８）
前記プロセッサに結合されているメモリを備えている、項目５６または５７に記載の海中ポンプ圧送装置。
（項目５９）
電力を前記プロセッサに提供するように構成されているバッテリを備えている、項目５６−５８のいずれかに記載の海中ポンプ圧送装置。
（項目６０）
前記プロセッサは、前記海中ポンプ圧送装置に結合されている、項目５６−５９のいずれかに記載の海中ポンプ圧送装置。
（項目６１）
前記プロセッサは、海上制御インターフェースと電気的に通信するように構成されている、項目５６−６０のいずれかに記載の海中ポンプ圧送装置。
（項目６２）
前記海中ポンプ圧送装置に結合され、電力を前記１つ以上のモータのうちの少なくとも１つに提供するように構成されている１つ以上のバッテリを備えている、項目１−６１のいずれかに記載の海中ポンプ圧送装置。
（項目６３）
前記１つ以上のバッテリは、電力を前記１つ以上のモータの大部分に提供するように構成されている、項目６２に記載の海中ポンプ圧送装置。
（項目６４）
大気圧容器を備え、前記１つ以上のバッテリのうちの少なくとも１つは、前記圧力容器内に配置されている、項目６２または６３に記載の海中ポンプ圧送装置。
（項目６５）
圧力補償式流体充填チャンバを備え、前記１つ以上のバッテリのうちの少なくとも１つは、前記流体充填チャンバ内に配置されている、項目６２−６４のいずれかに記載の海中ポンプ圧送装置。
（項目６６）
前記１つ以上のモータのうちの少なくとも１つと電気通信している電気コネクタを備え、前記電気コネクタは、電力を前記海中ポンプ圧送装置に提供するための補助ケーブルに結合されるように構成されている、項目１−６５のいずれかに記載の海中ポンプ圧送装置。
（項目６７）
前記電気コネクタは、誘導結合器を備えている、項目６６に記載の海中ポンプ圧送装置。
（項目６８）
前記液圧作動式デバイスは、ラム、環状空間、コネクタ、およびフェイルセーフ弁機能のうちの少なくとも１つを備えている、項目１−６７のいずれかに記載の海中ポンプ圧送装置。
（項目６９）
前記海中ポンプ圧送装置は、前記噴出防止装置に直接結合されるように構成されている、項目１−６８のいずれかに記載の海中ポンプ圧送装置。
（項目７０）
前記海中ポンプ圧送装置は、項目１−６９のいずれかに記載の海中ポンプ圧送装置に直接結合されるように構成されている、項目１−６９のいずれかに記載の海中ポンプ圧送装置。
（項目７１）
冗長圧力システムであって、
液圧流体を液圧作動式デバイスに提供するように構成されている剛体導管を備えている第１の流源と、
液圧流体を前記液圧作動式デバイスに提供するように構成されている項目１−７０のいずれかの海中ポンプ圧送装置を備えている第２の流源と
を備え、
前記第１および第２の流源は、液圧流体を前記液圧作動式デバイスに同時に供給するように構成されている、冗長圧力システム。
（項目７２）
海中ポンプ圧送装置上に配置されている複数の海中ポンプを作動させる方法であって、前記方法は、
補助ケーブルからの電力によって少なくとも第１のポンプを作動させることと、
前記海中ポンプ圧送装置上に配置されているバッテリからの電力によって少なくとも第２のポンプを作動させることと
を含む、方法。
（項目７３）
海中ポンプ圧送装置上に配置されている複数の海中ポンプを作動させる方法であって、前記方法は、
第１の補助ケーブルによって提供される第１のレベルの電力を用いて、少なくとも第１のポンプを作動させることと、
第２の補助ケーブルによって提供される第２のレベルの電力を用いて、少なくとも第２のポンプを作動させることと
を含み、前記第１のレベルの電力は、前記第２のレベルの電力と等しいかそれより大きい、方法。
（項目７４）
少なくとも１つのポンプは、少なくとも１つの他のポンプと直列である、項目７２または７３に記載の方法。
（項目７５）
少なくとも１つのポンプは、少なくとも１つの他のポンプと並列である、項目７２−７４のいずれかに記載の方法。
（項目７６）
海中ポンプ圧送装置上に配置されている１つ以上の海中ポンプを作動させる方法であって、前記方法は、
前記海中ポンプ圧送装置の弁を作動させ、前記１つ以上のポンプのうちの少なくとも１つの出口からの液圧流体を方向転換させることと、
前記方向転換された液圧流体を、海中環境、リザーバ、および前記１つ以上のポンプのうちの少なくとも１つの入口のうちの少なくとも１つに経路指定することと
を含む、方法。
（項目７７）
海中ポンプ圧送装置上に配置されている１つ以上の海中ポンプを作動させる方法であって、前記方法は、前記１つ以上のポンプのうちの少なくとも１つを作動させるように構成されている少なくとも１つのモータを選択的にアクティブ化および非アクティブ化することを含む、方法。
（項目７８）
液圧作動式デバイスを作動させるための液圧流体の海中生産のための方法であって、前記方法は、海水を海中膜を通してポンプ圧送し、前記液圧流体を生産することを含む、方法。
（項目７９）
前記液圧流体の少なくとも一部をドーパントと混合することを含む、項目７８に記載の方法。
（項目８０）
液圧作動式デバイスを作動させる方法であって、
海中ポンプ圧送装置上に配置されている１つ以上のポンプを使用して、液圧流体を前記液圧作動式デバイスに提供することを含み、
前記１つ以上のポンプは、前記液圧作動式デバイスと直接流体連通している、方法。
（項目８１）
前記１つ以上のポンプのうちの少なくとも１つに結合されているモータのスピードを変動させることによって、前記液圧作動式デバイスの作動スピードを変動させることを含む、項目８０に記載の方法。
（項目８２）
前記１つ以上のポンプのうちの少なくとも１つは、双方向液圧ポンプである、項目８１に記載の方法。
（項目８３）
海中液圧システム内の圧力を制御する方法であって、前記方法は、
前記海中液圧システムからの液圧流体漏出の量を決定することと、
１つ以上の海中ポンプを用いて、前記液圧流体漏出の量に実質的に一致する液圧流体の量を前記海中液圧システムに提供することと
を含む、方法。
（項目８４）
複数のモータ作動式海中ポンプを制御する方法であって、前記方法は、
所定の期間にわたって、第１のモータのランタイムを記録することと、
前記記録されたランタイムが所定の閾値を超える場合、前記第１のモータを非アクティブ化し、第２のモータをアクティブ化することと
を含む、方法。
（項目８５）
複数のモータ作動式海中ポンプを制御する方法であって、
第１の所定の期間にわたって、第１のモータのモータアクティブ化の数を記録することと、
前記第１の所定の期間にわたる前記第１のモータのモータアクティブ化の数が、所定の閾値を超える場合、第２の所定の期間中、前記第１のモータの代わりに、第２のモータをアクティブ化することと
を含む、方法。
（項目８６）
複数のモータ作動式海中ポンプを制御する方法であって、
第１の所定の期間にわたって、モータのモータアクティブ化の数を記録することと、
前記モータがアクティブ化されている場合において、前記第１の所定の期間にわたる前記モータのモータアクティブ化の数が、所定の閾値を超える場合、第２の所定の期間に対して、前記モータを非アクティブ化しないことと
を含む、方法。